(57)【要約】      （修正有）【課題】画像データを高い確率で自動送信を行えるようにする。【解決手段】タイマー部で時間カウントし、時間ＴでシステムＩＣ部が起動、無線通信部から信号を送信し、周囲の無線環境を調査して無線通信可能な装置を検索し、画像データの自動送信先として予め登録されたＰＣが無線通信可能であると判定すると、メモリカードから自動送信済みラベルが付されていない画像データを読み出し送信する。無線送信が成功すると、送信完了した画像データを消去する設定であるか否かを判定し、送信済みのラベルを付与するように設定されている場合には自動送信が完了した画像データに自動送信済みのラベルを付与して電源オフ処理を行う。【選択図】図４
2007096854.tif 000002
【特許請求の範囲】
【請求項１】
被写体を撮影して被写体画像を示す画像データを出力する撮影手段と、
前記撮影手段から出力された画像データを記憶する記憶手段と、
画像データを無線送信するための無線送信手段と、
バックアップ電源を備え、電源がオフにされてから所定時間経過後に電源をオンさせる電源制御手段と、
前記電源制御手段によって電源がオンされたとき、前記記憶手段に記憶され、かつ、前記無線送信手段によって無線送信されていない画像データを無線送信するように前記無線送信手段を制御すると共に、前記無線送信終了後に電源をオフする送信制御手段と、
を含む撮影装置。
【請求項２】
前記送信制御手段は、前記電源制御手段によって電源がオンされたとき、周囲から無線通信が可能な情報処理装置を検索して、前記画像データの無線送信が可能であるか否かを判定し、前記無線送信が可能であると判定されたときに、前記画像データを無線送信するように前記無線送信手段を制御する請求項１記載の撮影装置。
【請求項３】
前記記憶手段に記憶された画像データの中に、前記無線送信手段によって無線送信されていない画像データがないとき、前記電源制御手段によって電源をオンさせないように制御する電源オン禁止手段を更に含む請求項１又は２記載の撮影装置。
【請求項４】
前記電源制御手段によって電源をオンされた回数を記憶する回数記憶手段と、
前記回数記憶手段に記憶された回数が所定回数以上になると、前記所定時間を長くするように変更する変更手段とを更に含む請求項１〜請求項３の何れか１項記載の撮影装置。
【請求項５】
請求項１〜請求項４の何れか１項記載の撮影装置と、
電源がオフされてから予め定められた第１の時間経過後に、電源をオンさせ、前記電源をオンさせてから予め定められた第２の時間経過後に、電源をオフさせるオンオフ電源制御手段、及び
前記撮影装置から前記画像データを無線受信する無線受信手段を備えた情報処理装置と、
を含む画像送信システム。
【発明の詳細な説明】
【技術分野】
【０００１】
本発明は、撮影装置及び画像送信システムに係り、特に、撮影した画像データを無線送信する撮影装置及び該撮影装置を用いた画像送信システムに関する。
【背景技術】
【０００２】
従来、デジタルカメラなどの撮影装置では、撮影した画像データをパーソナルコンピュータで印刷したり、アルバム編集したりするために、ユーザは、撮影装置とパーソナルコンピュータとを所定のインタフェースにより接続して、画像データを撮影装置からパーソナルコンピュータに転送している。
【０００３】
このとき、インタフェースによって接続する作業負担がかかるため、この作業負担をなくすために、撮影の終了後、及び電源をオンオフしたタイミングで、無線手段により特定のＰＣ又はサーバ等に画像データを自動伝送する画像自動伝送デジタルカメラが知られている（特許文献１、特許文献２）。
【特許文献１】特開２００２−１０１８８
【特許文献２】特開２００２−８４４４８
【発明の開示】
【発明が解決しようとする課題】
【０００４】
しかしながら、上記の特許文献１及び特許文献２に記載の画像自動伝送デジタルカメラでは、デジタルカメラを使用している最中又は、使用する直前直後に画像データを伝送するため、画像データを伝送するタイミングにおいて、周辺に伝送先のＰＣやサーバが存在しない場合が多く、画像データが伝送される可能性が低い、という問題がある。
【０００５】
本発明は上記問題点を解決するためになされたものであり、画像データの自動送信を高い確率で実現することにより、ユーザの利便性を向上させることができる撮影装置及び画像送信システムを提供することを目的とする。
【課題を解決するための手段】
【０００６】
上記目的を達成するために、本発明に係る撮影装置は、被写体を撮影して被写体画像を示す画像データを出力する撮影手段と、前記撮影手段から出力された画像データを記憶する記憶手段と、画像データを無線送信するための無線送信手段と、バックアップ電源を備え、電源がオフにされてから所定時間経過後に電源をオンさせる電源制御手段と、前記電源制御手段によって電源がオンされたとき、前記記憶手段に記憶され、かつ、前記無線送信手段によって無線送信されていない画像データを無線送信するように前記無線送信手段を制御すると共に、前記無線送信終了後に電源をオフする送信制御手段とを含んで構成されている。
【０００７】
本発明に係る撮影装置によれば、撮影手段によって、被写体を撮影して被写体画像を示す画像データを出力し、出力された画像データを記憶手段に記憶する。そして、撮影装置の電源がオフされると、バックアップ電源から電源を供給された電源制御手段によって、電源がオフにされてから所定時間経過後に撮影装置の電源をオンさせる。
【０００８】
そして、電源制御手段によって電源がオンされたとき、送信制御手段によって、記憶手段に記憶され、かつ、無線送信手段によって無線送信されていない画像データを無線送信するように無線送信手段を制御して、無線送信手段によって無線送信されていない画像データを無線送信し、また、送信制御手段によって、無線送信終了後に電源をオフする。
【０００９】
従って、電源がオフにされてから所定時間経過後に撮影装置の電源をオンさせ、画像データを無線送信するようにすることにより、撮影装置が使用されておらず、撮影装置の周辺に送信先のＰＣやサーバが存在する可能性が高い状況において、画像データを無線送信するため、画像データの自動送信を高い確率で実現でき、ユーザの利便性を向上させることができる。
【００１０】
本発明に係る送信制御手段は、電源制御手段によって電源がオンされたとき、周囲から無線通信が可能な情報処理装置を検索して、画像データの無線送信が可能であるか否かを判定し、無線送信が可能であると判定されたときに、画像データを無線送信するように無線送信手段を制御することができる。これにより、無線送信が可能な状況においてのみ、画像データの無線送信を行うようにし、無駄な動作を防止することができる。
【００１１】
また、本発明に係る撮影装置は、記憶手段に記憶された画像データの中に、無線送信手段によって無線送信されていない画像データがないとき、電源制御手段によって電源をオンさせないように制御する電源オン禁止手段を更に含むことができる。これにより、無線送信すべき画像データがないとき、電源をオンしないため、無駄な電力消費を防ぐことができる。
【００１２】
また、本発明に係る撮影装置は、電源制御手段によって電源をオンされた回数を記憶する回数記憶手段と、回数記憶手段に記憶された回数が所定回数以上になると、所定時間を長くするように変更する変更手段とを更に含むことができる。これにより、無線送信が不可能な状況において、何回も電源をオンにさせて無駄に電力消費することを抑止できる。
【００１３】
本発明に係る画像送信システムは、上述した撮影装置と、電源がオフされてから予め定められた第１の時間経過後に、電源をオンさせ、前記電源をオンさせてから予め定められた第２の時間経過後に、電源をオフさせるオンオフ電源制御手段、及び前記撮影装置から前記画像データを無線受信する無線受信手段を備えた情報処理装置とを含んで構成されている。
【００１４】
本発明に係る画像送信システムによれば、撮影装置の電源がオフされると、バックアップ電源から電源を供給された電源制御手段によって、電源がオフにされてから所定時間経過後に撮影装置の電源をオンさせる、
また、情報処理装置では、オンオフ電源制御手段によって、情報処理装置の電源がオフされてから予め定められた第１の時間経過後に、情報処理装置の電源をオンさせ、電源をオンさせてから予め定められた第２の時間経過後に、電源をオフさせる。
【００１５】
ここで、撮影装置と情報処理装置とがともに電源オンされている場合には、撮影装置における送信制御手段によって、記憶手段に記憶され、かつ、無線送信手段によって無線送信されていない画像データを無線送信するように無線送信手段を制御して、無線送信手段によって無線送信されていない画像データを無線送信する。また、情報処理装置における無線受信手段によって、撮影装置から画像データを無線受信する。
【００１６】
そして、撮影装置における送信制御手段によって、無線送信終了後に撮影装置の電源をオフする。
【００１７】
従って、撮影装置の電源がオフにされてから所定時間経過後に撮影装置の電源をオンさせ、画像データを無線送信するようにすることにより、撮影装置が使用されておらず、撮影装置の周辺に送信先のＰＣやサーバが存在する可能性が高い状況において、画像データを無線送信するため、画像データの自動送信を高い確率で実現でき、ユーザの利便性を向上させることができる。
【００１８】
また、情報処理装置の電源がオフされてから予め定められた第１の時間経過後に、情報処理装置の電源をオンさせることにより、撮影装置の電源がオンされて画像データを無線送信するときに、情報処理装置の電源がオンされている可能性が高いため、画像データの自動送信をさらに高い確率で実現することができる。
【発明の効果】
【００１９】
本発明に係る撮影装置及び画像送信システムによれば、電源がオフにされてから所定時間経過後に撮影装置の電源をオンさせ、画像データを無線送信するようにすることにより、撮影装置が使用されておらず、撮影装置の周辺に送信先のＰＣやサーバが存在する可能性が高い状況において、画像データを無線送信するため、画像データの自動送信を高い確率で実現でき、ユーザの利便性を向上させることができる、という効果が得られる。
【発明を実施するための最良の形態】
【００２０】
以下、本発明の実施の形態について詳細に説明する。なお、デジタルカメラに本発明を適用した場合について説明する。
【００２１】
図１に示すように、第１の実施の形態に係る画像送信システム１０は、デジタルカメラ１２と、ＰＣ１４、１６と、ファイルサーバ１８、２０と、後述するネットワーク２４を介してデータ通信を行うネットワークサーバ２２と、ネットワークサーバ２２、ＰＣ１６、及びファイルサーバ２０を互いに接続するネットワーク２４とから構成されている。
【００２２】
ＰＣ１４、ファイルサーバ１８、及びネットワークサーバ２２は、無線通信機能を備えており、デジタルカメラ１２と無線通信が行えるようになっている。また、ネットワークサーバ２２は、ネットワーク２４を介してＰＣ１６及びファイルサーバ２０にデータを送信するようになっている。
【００２３】
また、図２に示すように、デジタルカメラ１２には、レンズを含んで構成された光学ユニット２３と、レンズの光軸後方に配設された電荷結合素子（以下、「ＣＣＤ」という。）２５と、入力されたアナログ信号に対して各種のアナログ信号処理を行なうアナログ信号処理部２６とが設けられている。
【００２４】
また、デジタルカメラ１２には、入力されたアナログ信号をデジタルデータに変換するアナログ／デジタル変換器（以下、「ＡＤＣ」という。）２８が設けられており、このデジタルデータが後述するシステムＩＣ部４０に出力され、このデジタルデータに対して各種のデジタル信号処理が行われる。
【００２５】
ＣＣＤ２５の出力端はアナログ信号処理部２６の入力端に、アナログ信号処理部２６の出力端はＡＤＣ２８の入力端に、各々接続されている。従って、ＣＣＤ２５から出力された被写体像を示すアナログ信号はアナログ信号処理部２６によって所定のアナログ信号処理が施され、ＡＤＣ２８によってデジタル画像データに変換された後にシステムＩＣ部４０に入力される。
【００２６】
また、デジタルカメラ１２には、デジタルカメラ１２全体の動作を制御するシステムＩＣ部４０と、撮影により得られた画像データ等を一時的に記憶するＳＤＲＡＭ（Ｓｙｎｃｈｒｏｎｏｕｓ  ＤＲＡＭ）で構成されるメモリ４８と、メモリ４８に対するアクセスの制御を行なうメモリインタフェース４６とが設けられている。
【００２７】
更に、デジタルカメラ１２には、例えば、可搬型のスマートメディア（Ｓｍａｒｔ  Ｍｅｄｉａ（登録商標））で構成されるメモリカード５２をデジタルカメラ１２でアクセス可能とするための外部メモリインタフェース５０と、デジタル画像データに対する圧縮処理及び伸張処理を行なう圧縮・伸張処理回路５４とが設けられている。
【００２８】
一方、デジタルカメラ１２は、主としてＣＣＤ２５を駆動させるためのタイミング信号を生成してＣＣＤ２５に供給するタイミングジェネレータ３２を備えており、ＣＣＤ２５の駆動はシステムＩＣ部４０によりタイミングジェネレータ３２を介して制御される。
【００２９】
更に、デジタルカメラにはモータ駆動部３４が設けられており、光学ユニット２３に備えられた図示しない焦点調整モータ、ズームモータ及び絞り駆動モータの駆動もシステムＩＣ部４０によりモータ駆動部３４を介して制御される。
【００３０】
更に、レリーズスイッチ、電源スイッチ、モード切替スイッチ、十字カーソルスイッチ、ズームスイッチ、メニュースイッチ等の各種スイッチ（図２では、「操作部５６」と総称。）はシステムＩＣ部４０に接続されており、システムＩＣ部４０は、操作部５６に対する操作状態を常時把握できる。
【００３１】
また、デジタルカメラ１２には、ストロボ４４とシステムＩＣ部４０との間に介在されると共に、システムＩＣ部４０の制御によりストロボ４４を発光させるための電力を充電する充電部４２が設けられている。更に、ストロボ４４はシステムＩＣ部４０にも接続されており、ストロボ４４の発光はシステムＩＣ部４０によって制御される。
【００３２】
また、デジタルカメラ１２は、デジタル画像データにより示される被写体像やメニュー画面等をＬＣＤ３８に表示させるための画像信号を生成してＬＣＤ３８に供給するＬＣＤインタフェース３６を備えている。
【００３３】
その他、ＬＣＤインタフェース３６では、画像データにより示される被写体像の画素配列に変換する画素配列変換処理、当該被写体像の画素数をＬＣＤ３８の画素数に変換する画素数変換処理、当該被写体像に対するＬＣＤ３８の特性等に応じたガンマ処理やシャープネス処理等の各種処理を実行するが、以上のようなＬＣＤインタフェース３６の動作は従来既知であるので、これ以上の説明は省略する。
【００３４】
また、デジタルカメラ１２には、無線信号を送受信して無線通信を行うための無線通信部６０、及び無線通信部６０の制御を行う無線インタフェース部６２が設けられている。
【００３５】
また、デジタルカメラ１２には、ＲＴＣ（Ｒｅａｌ  Ｔｉｍｅ  Ｃｌｏｃｋ）を用いたタイマー部６６と、デジタルカメラ１２の電源がオフになったときにタイマー部６６に電源を供給するバックアップ電池６４とが設けられている。
【００３６】
また、デジタルカメラ１２には、例えば、充電式の電池を備え、入力される電源制御信号に基づいて、デジタルカメラ１２の各部に電源を供給したり、電源の供給を停止したりする電源部６８が設けられている。
【００３７】
ＡＤＣ２８、ＬＣＤインタフェース３６、システムＩＣ部４０、メモリインタフェース４６、外部メモリインタフェース５０、圧縮・伸張処理回路５４、無線インタフェース部６２、タイマー部６６、及び電源部６８はシステムバスＢＵＳを介して相互に接続されている。システムＩＣ部４０は、ＬＣＤインタフェース３６、圧縮・伸張処理回路５４、無線インタフェース部６２、タイマー部６６、及び電源部６８の作動の制御、並びにメモリ４８及びメモリカード５２へのメモリインタフェース４６ないし外部メモリインタフェース５０を介したアクセスを行なう。
【００３８】
次に、本実施の形態に係るデジタルカメラ１２の動作について説明する。ここでは、デジタルカメラ１２によって被写体が撮像されて、画像データがメモリカード５２に記憶された後に、デジタルカメラ１２の電源がオフされる場合について説明する。
【００３９】
まず、デジタルカメラ１２の操作部５６の電源スイッチが押圧されると、システムＩＣ部４０において図３に示す電源スイッチ操作割り込み処理ルーチンが実行される。
【００４０】
ステップ１００において、電源スイッチが押圧されて電源がオンされるのか否かが判定され、電源オフ状態において電源スイッチが押圧された場合には、ステップ１０２において、タイマー部６６のタイマーのカウントを停止し、ステップ１０４において、通常処理を開始し、電源スイッチ操作割り込み処理ルーチンを終了する。
【００４１】
一方、電源オン状態において電源スイッチが押圧された場合には、ステップ１０６において、バッテリ残電力制限設定がオンになっており、かつ、制限設定されている閾値残電力以下であるか否かを判定する。
【００４２】
デジタルカメラ１２では、電源部６８のバッテリ残電力が小さい場合に、自動的に電源オンしないようにバッテリ残電力制限設定をオンに設定することができ、また、バッテリ残電力制限設定がオンの場合には、バッテリ残電力が小さいか否かを判定するための閾値である閾値残電力を設定することができる。
【００４３】
ステップ１０６で、バッテリ残電力制限設定がオンになっている場合には、電源部６８のバッテリ残電力を計算し、計算されたバッテリ残電力が閾値残電力以下であると、ステップ１１４へ移行するが、バッテリ残電力制限設定がオフに設定されている場合や、バッテリ残電力制限設定がオンであり、かつ、バッテリ残電力が閾値残電力より大きい場合には、ステップ１０８において、自動送信済みでない画像データがメモリカード５２に記憶されているか否かを判定する。
【００４４】
ここで、メモリカード５２に記憶されている画像データは、ＰＣ１４、ファイルサーバ１８、及びネットワークサーバ２２の何れかに自動送信されていると、自動送信済みであることを示す自動送信済みラベルが付されるようになっており、メモリカード５２に記憶されている画像データ全てに自動送信済みラベルが付されていると、ステップ１１４へ移行するが、一方、メモリカード５２に記憶されている画像データの中に、自動送信済みラベルが付されていない画像データが存在する場合には、ステップ１１０において、所定の時間Ｔのタイマーを開始するようにタイマー部６６にタイマー開始指示信号を出力する。
【００４５】
そして、ステップ１１２では、自動電源オンした回数を示す自動電源オン回数を０に設定し、ステップ１１４において、デジタルカメラ１２の各部の電源供給の停止などの電源オフ処理を行い、電源スイッチ操作割り込み処理ルーチンを終了する。
【００４６】
そして、タイマー部６６はバックアップ電池６４から電源を供給されて起動し、タイマー部６６で時間Ｔ（例えば２時間）になるまでカウントを行い、時間Ｔになると、電源部６８に電源制御信号を出力し、電源部６８からデジタルカメラ１２の各部に電源が供給され、システムＩＣ部４０が起動される。なお、タイマー部６６では、時間Ｔのカウントだけでなく、カウントが行われる時間の範囲（例えば１０：００〜２３：００）を指定できるようにしてもよい。
【００４７】
そして、システムＩＣ部４０において、図４に示す自動送信処理ルーチンが実行され、まず、ステップ１３０において、自動電源オン回数をインクリメントし、ステップ１３２で、無線通信部６０から無線信号を送信し、デジタルカメラ１２の周囲の無線環境を調査して、無線通信可能な装置を検索する。
【００４８】
そして、ステップ１３４において、ステップ１３２の検索結果に基づいて、画像データの自動送信先として予め登録された装置が無線通信可能であるか否かを判定し、例えば、ＰＣ１４が自動送信先として予め登録されている場合には、ステップ１３２において送信した無線信号に対して、ＰＣ１４から応答がないと、ステップ１３６において、タイマー時間Ｔを長くする必要があるか否かを判定し、自動電源オン回数が所定回数（例えば３回）以上であると、ステップ１３８において、タイマー時間Ｔを長くなるように変更し、ステップ１４０へ移行する。また、ステップ１３６において、自動電源オン回数が所定回数より小さいと、ステップ１４０において、時間Ｔのタイマーを開始するようにタイマー部６６に指示し、ステップ１５４へ移行する。
【００４９】
また、ステップ１３４において、予め登録されたＰＣ１４がデジタルカメラ１２の周囲に設置されており、かつ、ＰＣ１４の電源がオンされた状態で無線通信可能であって、ＰＣ１４から無線信号によって応答があり無線通信可能メッセージが送信されると、ステップ１４２において、メモリカード５２から自動送信済みラベルが付されていない画像データを読み出し、ステップ１４４において、ステップ１４２で読み出した画像データをＰＣ１４へ無線によって送信する。
【００５０】
ここで、画像データ毎に自動転送済みラベルが付与されているか否かを示す自動転送済み管理テーブルがメモリカード５２に記憶されており、自動転送済みのラベルが画像データに付与されているか否かについて、この自動転送済み管理テーブルに基づいて判断すればよい。
【００５１】
そして、ステップ１４６において、無線送信が成功したか否かを判定し、ＰＣ１４から画像データの受信が成功したことを示す受信成功メッセージを受信しない場合には、上述したステップ１３６へ移行するが、受信成功メッセージを受信した場合には、ステップ１４８において、自動送信が完了した画像データを消去する設定であるか否かを判定する。
【００５２】
デジタルカメラ１２では、自動送信が完了した画像データを消去するか、又は、自動送信が完了した画像データをそのまま保存し、自動送信済みのラベルを付与するようにするかを選択して設定するようになっており、自動送信が環境した画像データを消去するように設定されていると、ステップ１５０において、無線送信によって自動送信が完了した画像データをメモリカード５２から消去し、ステップ１５４へ移行する。一方、自動送信済みのラベルを付与するように設定されている場合には、ステップ１５２において、無線送信によって自動送信が完了した画像データに自動送信済みのラベルを付与して、ステップ１５４において、電源オフ処理を行って、自動送信処理ルーチンを終了する。
【００５３】
そして、自動送信が行われなかった場合には、再びタイマー部６６で時間Ｔになるまでカウントを行い、時間Ｔになると、電源部６８からデジタルカメラ１２の各部に電源が供給され、システムＩＣ部４０が起動され、上記の自動送信処理ルーチンが実行される。ここで、上記ステップ１３８において、タイマー時間が自動電源オン回数に応じて長く変更されるため、図５に示すように、自動的に電源オンされる周期が徐々に長くなり、最終的に最大周期時間（例えば２４時間）まで時間Ｔが長く変更されて、タイマー部６６によって、タイマー時間Ｔ毎に、電源部６８からデジタルカメラ１２の各部に電源が供給されて、システムＩＣ部４０が起動される。
【００５４】
以上説明したように、第１の実施の形態に係る画像送信システムによれば、タイマー部によって、電源がオフにされてからタイマー時間経過後にデジタルカメラの電源をオンさせ、自動送信済みでない画像データを無線送信することにより、デジタルカメラが使用されておらず、デジタルカメラの周辺に送信先のＰＣやサーバが存在する可能性が高い状況において、画像データを無線送信するため、画像データの自動送信を高い確率で実現でき、ユーザの利便性を向上させることができる。
【００５５】
また、周辺から無線通信可能な情報処理装置を検索して、自動送信先として予め登録された情報処理装置が無線送信可能であると判断された場合のみ、画像データの無線送信を行うようにすることにより、無駄な動作を防止することができる。
【００５６】
また、メモリカードに記憶されている画像データの中に自動送信済みでない画像データがないとき、自動電源オンしないため、無駄な電力消費を防ぐことができる。
【００５７】
また、タイマー時間を自動電源オン回数に応じて長く変更することにより、送信先として登録されている情報処理装置へ無線送信が不可能な状況において、何回も電源をオンにさせて無駄な電力消費されるのを抑止することができる。
【００５８】
なお、上記の実施の形態では、自動送信済みのラベルが付与された画像データは、メモリカードに保存されたままになる場合を例に説明したが、メモリカードの容量が少なくなった場合には、自動送信済みのラベルが付与された画像データを自動的に消去するようにしてもよい。
【００５９】
また、上記では、デジタルカメラに本発明を適用した場合について説明したが、これに限定されるものではなく、本発明に係る撮影装置が、カメラ機能が搭載された携帯電話端末であってもよい。
【００６０】
また、タイマー部によって、デジタルカメラの電源がオンされる場合には、デジタルカメラの各部へ電源を供給する場合を例に説明したが、画像データの無線送信に必要な部分だけに電源を供給するようにしてもよい。例えば、撮像系の部分やＬＣＤなどは使用されないため、該当部分への電源供給を行わないようにしてもよい。
【００６１】
次に、第２の実施の形態について説明する。なお、第１の実施の形態と同様の部分については、同一符号を付して説明を省略する。
【００６２】
図６に示すように、第２の実施の形態に係る画像送信システム２００では、ＰＣ２０２にタイマー装置２０４が設けられている点が第１の実施の形態と異なっている。
【００６３】
デジタルカメラ１２からの画像データの送信先であるＰＣやサーバは、電源がオンされていない可能性があり、電源がオンされていないと画像データが送信されないため、タイマー装置２０４によって、定期的にＰＣ２０２の電源をオンさせて無線通信可能にさせる。
【００６４】
タイマー装置２０４は、図７に示すように、デジタルカメラ１２の場合とは異なり、ＰＣ２０２の電源がオンされている状態をある程度長い時間継続させるようになっており、ＰＣ２０２の電源がオフされている状態において、タイマー時間Ｂ（例えば、１．５時間）経過後、ＰＣ２０２の電源をオンさせ、ＰＣ２０２の電源がオンされている状態において、タイマー時間Ａ（例えば０．５時間）経過後、ＰＣ２０２の電源をオフさせる。
【００６５】
ＰＣ２０２のタイマー装置２０４は外付けされていてもいいし、内臓されていてもよい。なお、タイマー装置２０４が外付けされている場合には、ウェークアップＬＡＮ機能を用いてタイマー装置２０４からＰＣ２０２に電源を供給するようにしてもよい。
【００６６】
以上説明したように、第２の実施の形態に係る画像送信システムによれば、デジタルカメラの電源がオフにされてからタイマー時間経過後に撮影装置の電源をオンさせ、画像データを無線送信するようにすることにより、デジタルカメラが使用されておらず、デジタルカメラの周辺に送信先のＰＣやサーバが存在する可能性が高い状況において、画像データを無線送信するため、画像データの自動送信を高い確率で実現でき、ユーザの利便性を向上させることができる。
【００６７】
また、情報処理装置の電源がオフされてから予め定められたタイマー時間Ａ経過後に、情報処理装置の電源をオンさせることにより、デジタルカメラの電源がオンされて画像データを無線送信するときに、情報処理装置の電源がオンされている可能性が高いため、画像データの自動送信をさらに高い確率で実現することができる。
【図面の簡単な説明】
【００６８】
【図１】本発明の第１の実施の形態に係る画像送信システムの構成を示す概略図である。
【図２】本発明の第１の実施の形態に係るデジタルカメラの電気系の主要構成を示すブロック図である。
【図３】本発明の第１の実施の形態に係るデジタルカメラの電源スイッチ操作割り込み処理ルーチンの内容を示すフローチャートである。
【図４】本発明の第１の実施の形態に係るデジタルカメラの自動送信処理ルーチンの内容を示すフローチャートである。
【図５】本発明の第１の実施の形態に係るデジタルカメラの自動電源オンのタイミングを示すタイムチャートである。
【図６】本発明の第２の実施の形態に係る画像送信システムの構成を示す概略図である。
【図７】本発明の第２の実施の形態に係るデジタルカメラ及びＰＣの自動電源オンのタイミングを示すタイムチャートである。
【符号の説明】
【００６９】
１０、２００  画像送信システム
１２   デジタルカメラ
１４、１６、２０２  ＰＣ
１８、２０    ファイルサーバ
２２   ネットワークサーバ
２５   ＣＣＤ
４０   システムＩＣ部
５２   メモリカード
５６   操作部
６０   無線通信部
６２   無線インタフェース部
６４   バックアップ電池
６６   タイマー部
６８   電源部
２０４ タイマー装置
【図１】
2007096854.tif 000003
【図２】
2007096854.tif 000004
【図３】
2007096854.tif 000005
【図４】
2007096854.tif 000006
【図５】
2007096854.tif 000007
【図６】
2007096854.tif 000008
【図７】
2007096854.tif 000009